(57)【要約】【課題】  人為的な造作物には近寄らないという獣類の習性による忌避効果を十分に確保することに加え、樹木用獣害防止具が樹木から外れる不具合を回避する。【解決手段】  一端側に設けた被係止バンド部２と、他端側に設けることにより、被係止バンド部２を挿入し、かつ挿入した当該被係止バンド部２を係止する短辺方向Ｄｓに形成した一又は二以上の縦長孔部４ａ…を有する係止バンド部３とを備え、全体を樹木Ｔに巻付け可能に一体形成した樹木用獣害防止具１を構成するに際して、被係止バンド部２及び係止バンド部３を、柔軟性素材を用いたシート材Ｓにより形成するとともに、被係止バンド部２における長辺２ｕ，２ｄの一方又は双方に、縦長孔部４ａ…に対する被係止バンド部２の係止時に所定の大きさ以上の引張荷重Ｆが付加されることにより被係止バンド部２が縦長孔部４ａ…を通過可能な複数の凹凸部６ｍ…，６ｖ…を長辺方向Ｄｍに順次形成する。【選択図】  図１
2013005731.tif 000002
【特許請求の範囲】
【請求項１】
一端側に設けた被係止バンド部と、他端側に設けることにより、前記被係止バンド部を挿入し、かつ挿入した当該被係止バンド部を係止可能な短辺方向に形成した一又は二以上の縦長孔部を有する係止バンド部とを備え、全体を樹木に巻付け可能に一体形成した樹木用獣害防止具において、前記被係止バンド部及び前記係止バンド部を、柔軟性素材を用いたシート材により形成するとともに、前記被係止バンド部における長辺の一方又は双方に、前記縦長孔部に対する前記被係止バンド部の係止時に所定の大きさ以上の引張荷重が付加されることにより前記被係止バンド部が前記縦長孔部を通過可能な複数の凹凸部を長辺方向に順次形成してなることを特徴とする樹木用獣害防止具。
【請求項２】
前記係止バンド部は、当該係止バンド部を略４５〔゜〕の折線部位により折曲した際に前記縦長孔部に重なる一又は二以上の横長孔部を長辺方向に形成してなることを特徴とする請求項１記載の樹木用獣害防止具。
【請求項３】
前記折線部位は、切込みによるミシン目又は凹溝により設けることを特徴とする請求項２記載の樹木用獣害防止具。
【請求項４】
前記横長孔部と前記縦長孔部の形状は同一又は非同一に形成することを特徴とする請求項２又は３記載の樹木用獣害防止具。
【請求項５】
前記柔軟性素材は、生分解性プラスチック素材を用いることを特徴とする請求項１〜４のいずれかに記載の樹木用獣害防止具。
【請求項６】
前記被係止バンド部及び／又は前記係止バンド部の長さは、係止時に係止部分から所定長さの余剰分が生じるように選定することを特徴とする請求項１〜５のいずれかに記載の樹木用獣害防止具。
【発明の詳細な説明】
【技術分野】
【０００１】
本発明は、樹木に巻付けることにより樹木を獣類から保護するための樹木用獣害防止具に関する。
【背景技術】
【０００２】
一般に、獣類による森林の被害は、主に、熊，鹿等によってもたらされる場合が顕著であり、従来より、防護柵，忌避剤，爆音等による各種対策が講じられているが、その効果は限定的であったり、或いは実施に伴って相当のコストと労力（作業）が強いられるとともに、ゴミ等の発生による自然環境への悪影響が指摘されている。
【０００３】
このため、従来より、樹木に巻付けることにより樹木を獣類から保護する樹木用獣害防止具も提案されており、特許文献１には、柔軟性を有するシート状のツリープロテクター本体と、このツリープロテクター本体に一体に設けられ、ツリープロテクター本体を巻回した状態で保持する保持機構とを有するとともに、ツリープロテクター本体が矩形状に形成され、保持機構が、ツリープロテクター本体の１つの辺に設けられた係止片と、当該１つの辺と対向する辺側の表面に係止片を係止させるために設けられたスリットとからなるツリープロテクターが開示され、また、特許文献２には、成長物に巻付ける第一バンド部を備え、この第一バンド部の長手方向一端側に挿通孔を設け、かつ第一バンド部の長手方向他端側に挿通孔に挿通する所定長さの第二バンド部を設けるとともに、この第二バンド部の幅方向両側の辺部にそれぞれ複数の弾性突出部を長手方向に沿って所定間隔おきに設け、かつ第二バンド部の幅方向における一方側の弾性突出部の先端から他方側の弾性突出部の先端までの長さを、挿通孔の幅方向長さよりも長くなるように選定し、弾性素材を用いた網部材により一体形成した成長物用カバーが開示されている。
【先行技術文献】
【特許文献】
【０００４】
【特許文献１】実用新案登録第３０６７３１３号公報
【特許文献２】特開２００４−２９８００４号公報
【発明の概要】
【発明が解決しようとする課題】
【０００５】
しかし、上述した従来の樹木用獣害防止具（ツリープロテクター，成長物用カバー）は、次のような解決すべき課題も存在した。
【０００６】
まず、特許文献１のツリープロテクターは、シート材により形成したツリープロテクター本体を樹木に巻き付け、保持機構により固定して使用するものであるため、使用期間の経過により樹木が成長し、太くなった場合には、保持機構が外れてツリープロテクターが地面に落下する懸念がある。このため、定期的に見回り、保持機構の保持位置を変更して装着し直す必要があるなど、装着後のメンテナンスなどが大変となる。しかも、樹木を遮蔽して保護するため、保護する樹木の面積に対応したサイズを確保する必要があり、材料コスト及び資源節約の観点からも不利になるとともに、樹木に対する通気性の悪化も無視できない。
【０００７】
一方、特許文献２の成長物用カバーは、上述した特許文献１の様々な問題点は全て解消できる特長を備えているが、主に人為的に付加された造作物には近寄らないという獣類の習性による忌避効果を利用するため、目立ちにくい網部材ゆえに獣類に対しては忌避効果が小さくなることが否めないとともに、形成素材として生分解性プラスチック等を用いた場合、強度が確保できなかったり不安定になることも無視できない。
【０００８】
本発明は、このような背景技術に存在する課題を解決した樹木用獣害防止具の提供を目的とするものである。
【課題を解決するための手段】
【０００９】
本発明は、一端側に設けた被係止バンド部２と、他端側に設けることにより、被係止バンド部２を挿入し、かつ挿入した当該被係止バンド部２を係止する短辺方向Ｄｓに形成した一又は二以上の縦長孔部４ａ，４ｂを有する係止バンド部３とを備え、全体を樹木Ｔに巻付け可能に一体形成した樹木用獣害防止具１を構成するに際して、被係止バンド部２及び係止バンド部３を、柔軟性素材を用いたシート材Ｓにより形成するとともに、被係止バンド部２における長辺２ｕ，２ｄの一方又は双方に、縦長孔部４ａ…に対する被係止バンド部２の係止時に所定の大きさ以上の引張荷重Ｆが付加されることにより被係止バンド部２が縦長孔部４ａ…を通過可能な複数の凹凸部６ｍ…，６ｖ…を長辺方向Ｄｍに順次形成してなることを特徴とする。
【００１０】
この場合、発明の好適な実施の態様により、係止バンド部３には、当該係止バンド部３を略４５〔゜〕の折線部位Ｋａ，Ｋｂにより略直角に折曲した際に縦長孔部４ａ，４ｂに重なる一又は二以上の横長孔部５ａ，５ｂを長辺方向Ｄｍに形成することができ、この際、折線部位Ｋａ，Ｋｂは、切込みによるミシン目ｋ（又は凹溝）により設けることができる。また、横長孔部５ａ，５ｂと縦長孔部４ａ，４ｂの形状は同一又は非同一に形成することができる。一方、柔軟性素材には、生分解性プラスチック素材Ｒを用いることができる。なお、被係止バンド部２及び／又は係止バンド部３の長さは、係止時に係止部分Ｃから所定長さの余剰分が生じるように選定することが望ましい。
【発明の効果】
【００１１】
このような構成を有する本発明に係る樹木用獣害防止具１によれば、次のような顕著な効果を奏する。
【００１２】
（１）  被係止バンド部２及び係止バンド部３を、柔軟性素材を用いたシート材Ｓにより形成するとともに、被係止バンド部２における長辺２ｕ，２ｄの一方又は双方に、縦長孔部４ａ…に対する被係止バンド部２の係止時に所定の大きさ以上の引張荷重Ｆが付加されることにより被係止バンド部２が縦長孔部４ａ…を通過可能な複数の凹凸部６ｍ…，６ｖ…を長辺方向Ｄｍに順次形成してなるため、シート材Ｓによる十分な忌避効果、即ち、人為的に付加された造作物には近寄らないという獣類の習性による忌避効果を十分に確保できることに加えて、樹木Ｔが使用期間の経過により太く成長した場合であっても、樹木用獣害防止具１はいわば自動で広がるため、樹木用獣害防止具１が樹木Ｔから外れてしまう不具合を回避できる。
【００１３】
（２）  好適な態様により、係止バンド部３に、当該係止バンド部３を略４５〔゜〕の折線部位Ｋａ，Ｋｂにより略直角に折曲した際に縦長孔部４ａ，４ｂに重なる一又は二以上の横長孔部５ａ，５ｂを長辺方向に形成すれば、縦長孔部４ａ…のみを使用する通常の使用態様に加えて、係止バンド部３の厚さを実質的に二倍にし、縦長孔部４ａ…と横長孔部５ａ…の双方を使用することにより係止時の強度を概ね二倍にできる使用態様を選択できる。特に、シート材Ｓに引張強さの大きさに方向性がある場合、略直角となる方向に形成した縦長孔部４ａ…と横長孔部５ａ…を組合わせることにより、強度の向上及び安定化に寄与できる。また、係止バンド部３の先端側は、下方に垂らすことができるため、獣類に対する忌避効果をより高めることができる。
【００１４】
（３）  好適な態様により、折線部位Ｋａ，Ｋｂに、切込みによるミシン目ｋ（又は凹溝）により設ければ、柔軟性素材を用いたシート材Ｓであっても、正確な位置を容易かつ確実に折曲することができる。
【００１５】
（４）  好適な態様により、横長孔部５ａ…と縦長孔部４ａ…の形状を同一又は非同一に形成すれば、例えば、被係止バンド部２の挿入容易性及び係止強度のバランスを考慮して一方の縦長孔部４ａ…の幅を広くし、かつ他方の横長孔部５ａ…の幅を狭くしたり、或いは、縦長孔部４ａ…及び横長孔部５ａ…の双方の幅を狭くして係止強度を高めたり、或いは、縦長孔部４ａ…及び横長孔部５ａ…の双方の幅を広くして挿入容易性を高めるなど、横長孔部５ａ…と縦長孔部４ａ…の組合わせにより機能性及び多様性をより高めることができる。
【００１６】
（５）  好適な態様により、柔軟性素材として生分解性プラスチック素材Ｒを用いれば、樹木Ｔに装着した後、そのまま放置した場合であっても、最終的には分解して自然界に戻るため、回収を不要にすることができる。
【００１７】
（６）  好適な態様により、被係止バンド部２及び／又は係止バンド部３の長さを、係止時における係止部分Ｃから所定長さの余剰分が生じるように選定すれば、被係止バンド部２及び／又は係止バンド部３のそれぞれの先端側は、被係止バンド部２と係止バンド部３の係止部分Ｃから所定の長さ分だけ垂れ下がるため、獣類に対する忌避効果をより高めることができる。この結果、樹木用獣害防止具１の幅寸法をより小さくすることも可能となり、材料コスト及び資源節約の観点からも有利に製作できるとともに、樹木Ｔに対する通気性の悪化も回避できる。
【図面の簡単な説明】
【００１８】
【図１】本発明の好適実施形態に係る樹木用獣害防止具の全体外観図、
【図２】同樹木用獣害防止具の使用状態を示す斜視図、
【図３】同樹木用獣害防止具の被係止バンド部と係止バンド部の係止部分を抽出して示す部分抽出拡大斜視図、
【図４】同樹木用獣害防止具の機能説明図、
【図５】本発明の変更実施形態に係る樹木用獣害防止具の全体外観図、
【発明を実施するための形態】
【００１９】
次に、本発明に係る好適実施形態を挙げ、図面に基づき詳細に説明する。
【００２０】
まず、本実施形態に係る樹木用獣害防止具１の構成について、図１〜図４を参照して説明する。
【００２１】
図１に、樹木用獣害防止具１の全体構成（全体形状）を示す。この樹木用獣害防止具１は、柔軟性素材を用いたシート材Ｓにより一体形成する。柔軟性素材には、生分解性プラスチック素材Ｒが望ましい。生分解性プラスチック素材Ｒとしては、一例として、高分子量の結晶性を有する融点６０〜１１５〔℃〕の熱可塑性ポリカプロラクトン等を用いることができる。この生分解性プラスチック素材Ｒは、使用中は、他の一般的な合成樹脂素材と同等の物性を備えているが、土壌等の自然環境下では、微生物により水と二酸化炭素に分解される特性を有している。なお、生分解性プラスチック素材Ｒには、耐候性を高めるため、適量の紫外線吸収剤を配合してもよい。このように、柔軟性素材として生分解性プラスチック素材Ｒを用いれば、樹木Ｔに装着した後、そのまま放置した場合であっても、最終的には分解して自然界に戻るため、回収を不要にできる利点がある。
【００２２】
樹木用獣害防止具１は、基本的な構成として、一端側に設けた被係止バンド部２と、他端側に設けることにより、被係止バンド部２を挿入し、かつ挿入した当該被係止バンド部２を係止する短辺方向Ｄｓに形成した二つの縦長孔部４ａ，４ｂを有する係止バンド部３とを備える。したがって、樹木用獣害防止具１は、全体を生分解性プラスチック素材Ｒにより、樹木Ｔに巻付け可能となるようにバンド状に一体形成し、一端側に位置するほぼ半分を被係止バンド部２とし、他端側に位置するほぼ半分を係止バンド部３とする。
【００２３】
被係止バンド部２における上下に位置する長辺２ｕ，２ｄの双方には、それぞれ複数の凹凸部６ｍ…，６ｖ…（凹部６ｖ…，凸部６ｍ…）を長辺方向Ｄｍに順次形成する。この凹凸部６ｍ…，６ｖ…は、縦長孔部４ａ…に対して被係止バンド部２を係止させた際に、所定の大きさ以上の引張荷重Ｆが付加されることにより被係止バンド部２が縦長孔部４ａ…を通過可能な形状及び大きさを選定する。実施形態の凹凸部６ｍ…，６ｖ…は、半円形の山部を順次連続形成したものであり、これにより、半円形の山部が凸部６ｍ…となり、半円形の山部と山部間の谷部が凹部６ｖ…となる。例示の場合、被係止バンド部２は、幅が１０〔ｃｍ〕前後、長さが８０〔ｃｍ〕前後である。
【００２４】
係止バンド部３は、幅が１５〔ｃｍ〕前後、長さが７０〔ｃｍ〕前後の矩形状に形成し、長手方向Ｄｍの離間した位置には二つの縦長孔部４ａ，４ｂを形成する。この場合、縦長孔部４ａ，４ｂは、細長い小判形に形成し、この縦長孔部４ａ，４ｂの長さ（又は被係止バンド部２の幅）は、前述したように、被係止バンド部２を当該縦長孔部４ａ，４ｂに挿入した際に、図４（ｂ）に示すように、被係止バンド部２の凹部６ｖ…が縦長孔部４ａ，４ｂに係止して保持され、かつ係止時に所定の大きさ以上の引張荷重Ｆが付加されることにより被係止バンド部２（凸部６ｍ…）が縦長孔部４ａ，４ｂを通過可能に選定する。
【００２５】
さらに、係止バンド部３における各縦長孔部４ａ，４ｂの近傍には、図１に示すように、それぞれ略４５〔゜〕のミシン目ｋを形成して折線部位Ｋａ，Ｋｂを設けるとともに、図１に仮想線で示すように、この折線部位Ｋａ，Ｋｂにより係止バンド部３を略直角に折曲した際に、縦長孔部４ａ，４ｂに重なり合う二つの横長孔部５ａ，５ｂを当該係止バンド部３における長辺方向Ｄｍに形成する。例示の横長孔部５ｂ（５ａも同じ）は、加工性及び挿入性を考慮し、図４（ａ）に示すように、両端位置に円形の小孔５ｓ，５ｓを形成し、この小孔５ｓと５ｓ間に切溝５ｃを形成した。
【００２６】
このように、係止バンド部３に、当該係止バンド部３を折線部位Ｋａ，Ｋｂにより略直角に折曲した際に縦長孔部４ａ，４ｂに重なり合う横長孔部５ａ，５ｂを設ければ、縦長孔部４ａ…のみを使用する通常の使用態様に加えて、係止バンド部３の厚さを実質的に二倍にし、縦長孔部４ａ…と横長孔部５ａ…の双方を使用することにより係止時の強度を概ね二倍にできる使用態様を選択可能となる。特に、例示のように、生分解性プラスチック素材Ｒを用いたシート材Ｓにより形成し、引張強さの大きさに方向性がある場合、即ち、幅方向（短辺方向Ｄｓ）に裂け易いような場合、略直角となる方向に形成した縦長孔部４ａ…と横長孔部５ａ…を組合わせることにより、強度の向上及び安定化に寄与できる。しかも、係止バンド部３の先端側は、下方に垂らすことができるため、獣類Ａに対する忌避効果をより高めることができる。この場合、折線部位Ｋａ，Ｋｂに、切込みによるミシン目ｋにより設ければ、柔軟性素材を用いたシート材Ｓであっても、正確な位置を容易かつ確実に折曲できる利点がある。
【００２７】
また、各横長孔部５ａ，５ｂは、各縦長孔部４ａ，４ｂに対して形状的に非同一に形成したが同一に形成してもよい。例示のように、一方の縦長孔部４ａ…の幅を広くし、かつ他方の横長孔部５ａ…の幅を狭くすれば、被係止バンド部２の挿入容易性と係止強度のバランスを考慮することができる。その他、縦長孔部４ａ…及び横長孔部５ａ…の双方の幅を狭くして係止強度を高めたり、或いは、縦長孔部４ａ…及び横長孔部５ａ…の双方の幅を広くして挿入容易性を高めてもよい。このように、横長孔部５ａ…と縦長孔部４ａ…の形状は同一に形成してもよいし、非同一に形成してもよいなど、横長孔部５ａ…と縦長孔部４ａ…の組合わせにより機能性及び多様性をより高めることができる利点がある。
【００２８】
次に、本実施形態に係る樹木用獣害防止具１の使用方法及び作用について、図１〜図４を参照して説明する。
【００２９】
まず、樹木用獣害防止具１を、装着しようとする樹木Ｔへ持って行く。なお、例示の樹木Ｔは、直径２５〔ｃｍ〕以下である。そして、樹木用獣害防止具１における折線部位Ｋａを境目にして係止バンド部３の先端側を係止バンド部３の被係止バンド部２側に対して略直角に折畳む。これにより、縦長孔部４ａと横長孔部５ａは図３に示すように重なり合う。
【００３０】
次いで、この状態の樹木用獣害防止具１を、図２に示すように、樹木Ｔにおける獣類Ａから見える所定位置、望ましくは、熊や鹿等の比較的大きい獣類Ａにとって目の高さに相当する地面から５０〔ｃｍ〕程度の高さに巻き付けるとともに、被係止バンド部２の先端側を、縦長孔部４ａに挿入し、更に横長孔部５ａに挿入する。また、挿入したなら被係止バンド部２を、縦長孔部４ａ及び横長孔部５ａに対して強く引張り、被係止バンド部２の凸部６ｍ…を変形させることにより縦長孔部４ａ及び横長孔部５ａに挿通させ、樹木用獣害防止具１を樹木Ｔの表面に密着（圧接）させる。そして、図３に示すように、被係止バンド部２の各長辺２ｕ，２ｄにおける各凹部６ｖ…に、縦長孔部４ａ及び横長孔部５ａを位置させる。
【００３１】
これにより、各凸部６ｍ…が縦長孔部４ａ及び横長孔部５ａの縁部に係止し、容易な抜けが阻止される。この結果、樹木用獣害防止具１は、図２に示すように、樹木Ｔに巻付いた状態で保持される。図中、Ｃは被係止バンド部２と係止バンド部３の係止部分を示す。このように、本実施形態に係る樹木用獣害防止具１は、別途の固定手段を用いることなく、必要な樹木Ｔに対して極めて容易に装着することができる。
【００３２】
また、この際、図２に示すように、樹木Ｔに装着した樹木用獣害防止具１における被係止バンド部２の先端側及び係止バンド部３の先端側は係止部分Ｃから垂れ下がるように考慮する。即ち、被係止バンド部２及び係止バンド部３の長さを、係止部分Ｃから所定長さの余剰分が生じるように予め選定する。これにより、被係止バンド部２及び係止バンド部３のそれぞれの先端側は、係止部分Ｃから所定の長さ分だけ垂れ下がる自由端となる。この結果、獣類Ａにとっては、全体として、より複雑な形状の人為的な造作物として認識されるとともに、風が吹いた際にはランダムに揺れるため、獣類Ａに対する忌避効果をより高めることができる。加えて、樹木用獣害防止具１の幅寸法をより小さくすることも可能となり、材料コスト及び資源節約の観点からも有利に製作できるとともに、樹木Ｔに対する通気性の悪化も回避できる。なお、例示の場合、被係止バンド部２と係止バンド部３の双方に、係止部分Ｃからの余剰分が生じるようにしたが、いずれか一方にのみ当該余剰分が生じるようにしても勿論よい。
【００３３】
他方、樹木Ｔが成長し、径が太くなった場合、樹木Ｔに巻付けた樹木用獣害防止具１も追従して広がる。即ち、この場合、縦長孔部４ａ及び横長孔部５ａに対して、被係止バンド部２から所定の引張荷重が付加されるため、所定の大きさ以上の引張荷重Ｆが付加された際には、上下における各凸部６ｍ…がそれぞれ変形し、縦長孔部４ａ及び横長孔部５ａの縁部を乗り越え、樹木用獣害防止具１の径が大きくなる。これにより、樹木用獣害防止具１が樹木Ｔから外れてしまう不具合は回避される。
【００３４】
なお、以上は、樹木Ｔの直径が２５〔ｃｍ〕以下の場合について説明したが、樹木Ｔの直径が２５〔ｃｍ〕を越える場合には、図４（ａ）に示すように、他方の折線部位Ｋｂを折畳み、縦長孔部４ｂ及び横長孔部５ｂに被係止バンド部２を挿入して使用すればよい。さらに、使用環境（気候）や獣類Ａの種類によっては、折線部位Ｋａ，Ｋｂで折畳むことなく、被係止バンド部２を縦長孔部４ａ又は４ｂのみに挿入して使用してもよい。図５には、折線部位Ｋａ，Ｋｂ及び横長孔部５ａ，５ｂを設けない、より簡易化した樹木用獣害防止具１を変更実施形態として示す。この変更実施形態に係る樹木用獣害防止具１は、幅方向（短辺方向Ｄｓ）の長さを、図１に示した樹木用獣害防止具１に対して、概ね１／２とした。したがって、使用する際には、被係止バンド部２を、縦長孔部４ａ又は４ｂを選択して挿通させることにより使用可能となる。
【００３５】
このように、本実施形態に係る樹木用獣害防止具１によれば、被係止バンド部２及び係止バンド部３を、柔軟性素材を用いたシート材Ｓにより形成するとともに、被係止バンド部２における長辺２ｕ，２ｄに、縦長孔部４ａ…及び横長孔部５ａ…に対する被係止バンド部２の係止時に所定の大きさ以上の引張荷重Ｆが付加されることにより被係止バンド部２が縦長孔部４ａ…及び横長孔部５ａ…を通過可能な複数の凹凸部６ｍ…，６ｖ…を長辺方向Ｄｍに順次形成してなるため、シート材Ｓによる十分な忌避効果、即ち、人為的に付加された造作物には近寄らないという獣類Ａの習性による忌避効果を十分に確保できることに加えて、樹木Ｔが使用期間の経過により太く成長した場合であっても、樹木用獣害防止具１はいわば自動で広がるため、樹木用獣害防止具１が樹木Ｔから外れてしまう不具合を回避できる。
【００３６】
以上、好適実施形態及び変更実施形態について詳細に説明したが、本発明は、このような実施形態に限定されるものではなく、細部の構成，形状，素材，手法等において、本発明の要旨を逸脱しない範囲で、任意に変更，追加，削除することができる。
【００３７】
例えば、一端側に設けた被係止バンド部２と他端側に設けた係止バンド部３により構成した形態を示したが、被係止バンド部２と係止バンド部３間には必要により中間部等が介在する形態であってもよい。また、シート材Ｓに用いる柔軟性素材として生分解性プラスチック素材Ｒが望ましいが、地形等により回収を前提とする場合には、一般的な各種合成樹脂を用いる場合を排除するものではない。さらに、被係止バンド部２における長辺２ｕ，２ｄの双方に凹凸部６ｍ…，６ｖ…を設けた場合を示したが、長辺２ｕ，２ｄのいずれか一方にのみ設ける場合であっても実施可能である。なお、凹凸部６ｍ…，６ｖ…の形状として半円形を例示したが、半楕円形，台形，三角形等の、同様の機能を発揮する各種形状により実施可能である。一方、折線部位Ｋａ，Ｋｂの角度を略４５〔゜〕としたが、一定の幅を有する、例えば、４５±２０〔゜〕程度と同義である。また、縦長孔部４ａ，４ｂと横長孔部５ａ，５ｂはそれぞれ二つ形成した場合を示したが、一般的には一又は二以上の数量により実施可能である。さらに、折線部位Ｋａ，Ｋｂとして、切込みによるミシン目ｋを設ける場合を示したが、凹溝（薄肉形成ライン）であってもよい。
【産業上の利用可能性】
【００３８】
本発明に係る樹木用獣害防止具は、獣類（鳥類を含む）から保護する必要がある森林や果樹園等における各種樹木及びその類似物に利用することができる。
【符号の説明】
【００３９】
１：樹木用獣害防止具，２：被係止バンド部，２ｕ：被係止バンド部の長辺，２ｄ：被係止バンド部の長辺，３：係止バンド部，４ａ：縦長孔部，４ｂ：縦長孔部，５ａ：横長孔部，５ｂ：横長孔部，６ｍ…：凸部，６ｖ…：凹部，Ｃ：係止部分，Ｄｓ：短辺方向，Ｄｍ：長辺方向，Ｆ：引張荷重，Ｋａ：折線部位，Ｋｂ：折線部位，ｋ：ミシン目，Ｒ：生分解性プラスチック素材，Ｓ：シート材，Ｔ：樹木
【図１】
2013005731.tif 000003
【図２】
2013005731.tif 000004
【図３】
2013005731.tif 000005
【図４】
2013005731.tif 000006
【図５】
2013005731.tif 000007